(57)【要約】【課題】両軸受リールにおいて、リール本体のコンパクト化を、図る。【解決手段】両軸受リール１０のスプールアクセス機構３０は、フレーム１７と、スプール支持部１５と、第１側カバー１８ａと、カバー開閉部１６とを、備えている。フレーム１７は、開口部２７ｃを有している。フレーム１７の形状は、実質的に円形である。スプール支持部１５は、フレーム１７の内部に装着されている。スプール支持部１５は、スプール１４を回転可能に支持する。第１側カバー１８ａは、フレーム１７の開口部２７ｃに配置可能である。カバー開閉部１６は、フレーム１７の内部においてスプール１４と第１側カバー１８ａとの間に配置される。カバー開閉部１６は、スプール支持部１５及び第１側カバー１８ａに係合し、第１側カバー１８ａを開閉可能である。【選択図】図４
2015053916.tif 000002
【特許請求の範囲】
【請求項１】
開口部を有し形状が実質的に円形であるフレーム本体と、前記フレーム本体の前記開口部に配置可能なカバー部とを、有するリール本体と、
前記フレーム本体に回転自在に装着されるスプールと、
前記スプールを回転させるためのハンドルと、
前記フレーム本体の内部にアクセスするためのスプールアクセス機構と、
を備え、
前記スプールアクセス機構は、
前記フレーム本体と、
前記カバー部と、
前記フレーム本体の内部に装着され、スプールを回転可能に支持するスプール支持部と、
前記フレーム本体の内部において前記スプールと前記カバー部との間に配置され、前記スプール支持部及び前記カバー部に係合し前記カバー部を開閉可能なカバー開閉部とを、有する、
両軸受リール。
【請求項２】
前記カバー部は、前記カバー開閉部に対して開閉するための係合部を、有し、
前記係合部は、スプール軸方向から見て、前記スプール支持部と重なるように、前記カバー部に設けられている、
請求項１に記載の両軸受リール。
【請求項３】
前記スプール、前記スプール支持部、及び前記カバー部は、スプール軸方向から見て、実質的に同芯に配置されている、
請求項１又は２に記載の両軸受リール。
【請求項４】
前記フレーム本体の内部において前記スプールと前記カバー部との間に配置され、前記スプール支持部及び前記カバー開閉部に係合し、且つ前記カバー部が開かれた状態で前記スプール支持部及び前記カバー開閉部を前記フレーム本体に着脱可能なように前記フレーム本体に装着される着脱部、
をさらに備える請求項１から３のいずれか１項に記載の両軸受リール。
【請求項５】
前記着脱部は、前記フレーム本体に対して揺動可能に装着されており、
前記カバー部が開かれた状態で、前記着脱部を揺動させることによって、前記スプール支持部及び前記カバー開閉部は、前記フレーム本体から取り外し可能である、
請求項４に記載の両軸受リール。
【請求項６】
前記カバー開閉部は、前記スプール支持部に対して揺動可能に装着される揺動部材と、前記スプール支持部及び前記カバー部を連結し且つ前記揺動部材の揺動に応じて前記カバー部を開閉可能に支持する連結部材とを、有する、
請求項１から５のいずれか１項に記載の両軸受リール。
【請求項７】
前記カバー部が閉じられた状態では、前記揺動部材が所定の第１姿勢をとり、
前記カバー部が開放可能である状態では、前記揺動部材が、前記第１姿勢から揺動した第２姿勢をとり、
前記揺動部材は、前記第１姿勢及び前記第２姿勢において、前記連結部材によって位置決めされる、
請求項６に記載の両軸受リール。
【請求項８】
前記連結部材は、前記揺動部材と前記カバー部との間において前記スプール支持部に装着される第１連結部材と、前記第１連結部材に係合し前記揺動部材を位置決めし且つ前記カバー部を開閉可能に支持する第２連結部材とを、有する、
請求項６又は７に記載の両軸受リール。
【請求項９】
前記揺動部材は、前記スプール支持部に対して揺動可能に装着される本体部と、前記本体部に形成される長孔部とを、有し、
前記第２連結部材は、前記本体部の揺動に応じて、前記長孔部を移動可能であり、
前記揺動部材の姿勢が前記第１姿勢である場合、前記揺動部材は、前記長孔部の一端側で、前記第２連結部材によって位置決めされ、
前記揺動部材の姿勢が前記第２姿勢である場合、前記揺動部材は、前記長孔部の他端側で、前記第２連結部材によって位置決めされる、
請求項８に記載の両軸受リール。
【請求項１０】
前記第２連結部材は、前記カバー部に装着される軸部と、前記軸部より拡大された拡大部とを、有し、
前記長孔部は、前記長孔部の一端側に形成される第１孔部と、前記長孔部の他端側に形成され前記第１孔部より内径が大きい第２孔部とを、有し、
前記揺動部材の姿勢が前記第１姿勢である場合、前記軸部が前記第１孔部に配置され、前記拡大部が前記第２孔部の縁部に係合することによって、前記揺動部材が位置決めされ、
前記揺動部材の姿勢が前記第２姿勢である場合、前記拡大部が前記第２孔部に配置されることによって、前記揺動部材が位置決めされる、
請求項９に記載の両軸受リール。
【請求項１１】
前記揺動部材の姿勢が所定の第１姿勢である場合、前記第２連結部材が、前記揺動部材によって、抜け止めされ、
前記揺動部材の姿勢が、所定の前記第１姿勢から揺動した第２姿勢である場合、前記第２連結部材が、前記第１連結部材によって、抜け止めされる、
請求項７から１０のいずれか１項に記載の両軸受リール。
【発明の詳細な説明】
【技術分野】
【０００１】
本発明は、両軸受リール、特に、両軸受リールのスプールやスプール制動機構にアクセスするためのスプールアクセス機構を有する両軸受リールに関する。
【背景技術】
【０００２】
両軸受リールは、一般に、フレーム本体と、フレーム本体の側方を開閉自在に覆う側カバーとを、備えている（特許文献１を参照）。詳細には、フレーム本体には、側カバーを開閉自在に支持するためのカバー支持部が、形成されている。詳細には、カバー支持部は、スプールの半径方向外側において、スプールとフレーム本体との間に設けられている。このカバー支持部によって、側カバーが開放され、フレーム本体の内部にアクセスできる。
【０００３】
一方で、カバー支持部が、スプールの半径方向外側においてスプール軸と平行になるように、フレーム本体の両端部に、形成される場合もある（特許文献２を参照）。この場合であっても、このカバー支持部によって、側カバーが開放され、フレーム本体の内部に容易にアクセスできる。
【先行技術文献】
【特許文献】
【０００４】
【特許文献１】実用新案登録第２５２９１０９号
【特許文献２】特開２００５−３３３８４４号公報
【発明の概要】
【発明が解決しようとする課題】
【０００５】
上記の特許文献１のタイプの両軸受リールでは、側カバーを開放可能になっている。このタイプの両軸受リールでは、側カバーを支持するカバー支持部が、スプールの半径方向外側とフレーム本体との間に設けられている。このため、カバー支持部を配置するためのスペースを、スプールとフレーム本体との間に用意する必要があり、フレーム本体が半径方向に大型化してしまうという問題があった。同様に、上記の特許文献２のタイプの両軸受リールでも、側カバーを開放可能になっている。このタイプの両軸受リールでは、側カバーを支持するカバー支持部が、スプールの半径方向外側においてスプール軸と平行になるように、フレーム本体の両端部に、形成されている。このため、この場合においても、フレーム本体が半径方向に大型化してしまうという問題があった。
【０００６】
本発明は、上記のような問題に鑑みてなされたものであって、本発明の目的は、両軸受リールにおいて、リール本体のコンパクト化を、図ることにある。
【課題を解決するための手段】
【０００７】
発明１に係る両軸受リールは、リール本体と、スプールと、ハンドルと、スプールアクセス機構とを、備えている。リール本体は、フレーム本体と、カバー部とを、有している。フレーム本体の形状は、実質的に円形である。フレーム本体は、開口部を有している。カバー部は、フレーム本体の開口部に配置可能である。スプールは、フレーム本体に回転自在に装着される。ハンドルは、スプールを回転させるためのものである。スプールアクセス機構は、フレーム本体の内部にアクセスするためのものである。
【０００８】
スプールアクセス機構は、フレーム本体と、カバー部と、スプール支持部と、カバー開閉部とを、有している。スプール支持部は、フレーム本体の内部に装着される。スプール支持部は、スプールを回転可能に支持する。カバー開閉部は、フレーム本体の内部において、スプールとカバー部との間に配置される。カバー開閉部は、スプール支持部及びカバー部に係合し、カバー部を開閉可能である。
【０００９】
このように、本両軸受リールでは、カバー開閉部が、フレーム本体の内部においてスプールとカバー部との間に配置され、カバー部はカバー開閉部に係合している。このため、従来技術のように、カバー部を支持する支持部を、スプールの半径方向外側とフレーム本体との間に設けたり、スプールの半径方向外側におけるフレーム本体の両端部に、設けたりする必要がない。すなわち、本両軸受リールでは、従来技術と比較して、フレーム本体を小型化することができる。
【００１０】
このようにフレーム本体を小型化することによって、例えば、ユーザが両軸受リールを操作する場合に、両軸受リールを保持しやすくなり（パーミングしやすくなり）、操作性を向上させることができる。
【００１１】
また、本両軸受リールでは、上記のように支持部を、スプールの半径方向外側に配置するためのスペースや部分を、フレーム本体に用意する必要がないので、フレーム本体の外形を、最も無駄のない形状、例えば実質的に円形に、形成することができる。このように、フレーム本体を単に小型化するのではなく、フレーム本体内のスペースやフレーム本体の大きさをできるだけ最小限に設定することによって、フレーム本体の形状が決定されている。このような理由から、本両軸受リールでは、フレーム本体の形状が、フレーム本体の小型化を実現する上で最適な形状、すなわち実質的に円形に、形成されている。
【００１２】
発明２に係る両軸受リールでは、発明１に記載の両軸受リールにおいて、カバー部が、カバー開閉部に対して開閉するための係合部を、有している。係合部は、スプール軸方向から見て、スプール支持部と重なるように、カバー部に設けられている。
【００１３】
この場合、係合部が、スプール軸方向から見て、スプール支持部と重なるように、カバー部に設けられているので、係合部をスプールの半径方向外側に配置するためのスペースや部分を、フレーム本体に用意する必要がないので、フレーム本体を小型化することができる。
【００１４】
発明３に係る両軸受リールでは、発明１又は２に記載の両軸受リールにおいて、スプール、スプール支持部、及びカバー部が、スプール軸方向から見て、実質的に同芯に配置されている。
【００１５】
この場合、フレーム本体に対して、スプール、スプール支持部、及びカバー部を、実質的に偏心させることなく、スプール軸に沿う方向に並べて配置することができるので、フレーム本体を半径方向に小型化することができる。
【００１６】
発明４に係る両軸受リールは、発明１から３のいずれか１項に記載の両軸受リールにおいて、着脱部をさらに備えている。着脱部は、フレーム本体の内部において、スプールとカバー部との間に配置される。着脱部は、スプール支持部及びカバー開閉部に係合する。着脱部は、カバー部が開かれた状態でスプール支持部及びカバー開閉部をフレーム本体に着脱可能なように、フレーム本体に装着される。
【００１７】
この場合、着脱部は、スプールとカバー部との間に配置され、カバー部が開かれた状態で、スプール支持部及びカバー開閉部をフレーム本体に着脱可能である。詳細には、カバー開閉部は、カバー部に係合しているので、着脱部は、カバー部が開かれた状態で、スプール支持部、カバー開閉部、及びカバー部を、フレーム本体に装着可能であり、フレーム本体から取り外し可能である。
【００１８】
このように、本両軸受リールでは、着脱部によって、スプール支持部、カバー開閉部、及びカバー部を、フレーム本体から容易に取り外すことができ、両軸受リールの内部の構造に容易にアクセスすることができる。また、スプール支持部、カバー開閉部、及びカバー部が、フレーム本体から取り外された場合、両軸受リールの内部の構造を容易に組み立てたり、両軸受リールの内部の構造を取り外して容易にメンテナンスしたりすることができる。
【００１９】
発明５に係る両軸受リールでは、発明４に記載の両軸受リールにおいて、着脱部が、フレーム本体に対して揺動可能に装着されている。スプール支持部及びカバー開閉部は、カバー部が開かれた状態で着脱部を揺動させることによって、フレーム本体から取り外し可能である。
【００２０】
この場合、カバー部が開かれた状態で着脱部を揺動させることによって、スプール支持部及びカバー開閉部を、フレーム本体から取り外すことができる。すなわち、本両軸受リールでは、フレーム本体を小型化することができるとともに、着脱部を揺動させるだけで、両軸受リールの内部の構造に容易にアクセスすることができる。
【００２１】
発明６に係る両軸受リールでは、発明１から５のいずれか１項に記載の両軸受リールにおいて、カバー開閉部が、揺動部材と、連結部材とを、有している。揺動部材は、スプール支持部に対して揺動可能に装着される。連結部材は、スプール支持部及びカバー部を連結し、且つ揺動部材の揺動に応じてカバー部を開閉可能に支持する。
【００２２】
この場合、連結部材が、スプール支持部及びカバー部を連結し、且つ揺動部材の揺動に応じてカバー部を開閉可能に支持しているので、スプール支持部とカバー部とが離れた位置に配置されていても、揺動部材を揺動させることによって、カバー部を開閉することができる。すなわち、本両軸受リールでは、カバー部を容易に開閉して、カバー部の内側に容易にアクセスすることができる。
【００２３】
発明７に係る両軸受リールでは、発明６に記載の両軸受リールにおいて、カバー部が閉じられた状態において、揺動部材が所定の第１姿勢をとる。カバー部が開放可能である状態では、揺動部材が、第１姿勢から揺動した第２姿勢をとる。揺動部材は、第１姿勢及び第２姿勢において、連結部材によって位置決めされる。
【００２４】
この場合、揺動部材が、第１姿勢及び第２姿勢において、連結部材によって位置決めされる。すなわち、揺動部材の姿勢を第１姿勢で位置決めすることによって、カバー部を閉じた状態で固定することができる。また、揺動部材の姿勢を第２姿勢で位置決めすることによって、カバー部が開放可能である状態で保持されるので、スプール支持部及びカバー開閉部を、フレーム本体から容易に取り外すことができる。すなわち、両軸受リールの内部の構造を、容易に取り外したり、組み立てたりできる。
【００２５】
発明８に係る両軸受リールでは、発明６又は７に記載の両軸受リールにおいて、連結部材が、第１連結部材と、第２連結部材とを、有する。第１連結部材は、揺動部材とカバー部との間において、スプール支持部に装着される。第２連結部材は、第１連結部材に係合し、揺動部材を位置決めする。また、第２連結部材は、カバー部を開閉可能に支持する。
【００２６】
この場合、連結部材が、第１連結部材と第２連結部材とから、構成されている。これにより、スプール支持部とカバー部とが離れた位置に配置されていても、この位置の差異を、第１連結部材によって補い、且つ揺動部材の位置決めとカバー部の支持とを、第２連結部材によって行うことができる。
【００２７】
発明９に係る両軸受リールでは、発明８に記載の両軸受リールにおいて、揺動部材が、本体部と、長孔部とを、有している。本体部は、スプール支持部に対して、揺動可能に装着される。長孔部は、本体部に形成される。第２連結部材は、本体部の揺動に応じて、長孔部を移動可能である。揺動部材の姿勢が第１姿勢である場合、揺動部材は、長孔部の一端側で、第２連結部材によって位置決めされる。揺動部材の姿勢が第２姿勢である場合、揺動部材は、長孔部の他端側で、第２連結部材によって位置決めされる。
【００２８】
この場合、揺動部材の姿勢が、第１姿勢又は第２姿勢である場合、揺動部材は、長孔部の一端側又は他端側で、第２連結部材によって位置決めされる。このように、揺動部材の揺動に応じて設定される２つの異なる姿勢（第１姿勢及び第２姿勢）において、揺動部材を確実に位置決めすることができる。
【００２９】
発明１０に係る両軸受リールでは、発明９に記載の両軸受リールにおいて、第２連結部材が、軸部と、拡大部とを、有している。軸部は、カバー部に装着される。拡大部は、軸部より拡大して形成されている。長孔部は、第１孔部と、第２孔部とを、有している。第１孔部は、長孔部の一端側に形成される。第２孔部は、長孔部の他端側に形成される。第２孔部は、第１孔部より内径が大きい。
【００３０】
揺動部材の姿勢が第１姿勢である場合、第２連結部材の軸部が第１孔部に配置され、且つ第２連結部材の拡大部が第２孔部の縁部に係合することによって、揺動部材が位置決めされる。揺動部材の姿勢が第２姿勢である場合、第２連結部材の拡大部が第２孔部に配置されることによって、揺動部材が位置決めされる。
【００３１】
この場合、揺動部材の姿勢が第１姿勢である場合、第２連結部材の軸部及び第２連結部材の拡大部よって、揺動部材が位置決めされるので、カバー部を閉じた状態で確実に固定することができる。また、揺動部材の姿勢が第２姿勢である場合、第２連結部材の拡大部の係合が解除され、第２連結部材の拡大部が第２孔部に配置されるので、カバー部を開放可能な状態で確実に保持することができる。
【００３２】
発明１１に係る両軸受リールでは、発明７から１０のいずれか１項に記載の両軸受リールおいて、揺動部材の姿勢が所定の第１姿勢である場合、第２連結部材が、揺動部材によって、抜け止めされる。揺動部材の姿勢が、所定の第１姿勢から揺動した第２姿勢である場合、第２連結部材が、第１連結部材によって、抜け止めされる。
【００３３】
この場合、揺動部材の姿勢が第１姿勢又は第２姿勢である場合に、第２連結部材が、揺動部材又は第２連結部材によって、抜け止めされる。このように、特別な部材を用意することなく、第２連結部材を抜け止めすることができる。
【発明の効果】
【００３４】
本発明によれば、両軸受リールにおいて、リール本体のコンパクト化を、図ることができる。
【図面の簡単な説明】
【００３５】
【図１】本発明の一実施形態による両軸受リールの平面図
【図２】両軸受リールの断面図
【図３】両軸受リールの部分斜視図
【図４】両軸受リールの側面図（第１側カバー部の開放状態）
【図５】両軸受リールの側面図（第１側カバー部を除く）
【図６Ａ】第１側カバー部の斜視図
【図６Ｂ】第１側カバー部の部分断面図（突起なし）
【図６Ｃ】第１側カバー部の部分断面図（突起あり）
【図７】着脱ユニットの分解斜視図（第１側カバー部を除く）
【図８】付勢部材の斜視図
【図９】揺動部材の斜視図
【図１０】連結部材の係合状態を示す図
【発明を実施するための形態】
【００３６】
＜両軸受リールの基本構成＞
図１及び図２に示すように、両軸受リール１０は、主に、釣り竿に装着されるリール本体１１と、ハンドル１２と、スタードラグ１３と、スプール１４と、スプール軸２６と、スプールアクセス機構３０と、カバー開放機構５０とを、備えている。スプールアクセス機構３０には、後述するカバー開放機構５０が含まれている。また、スプールアクセス機構３０には、リール本体１１の一部、例えばフレーム１７が、含まれる。
【００３７】
図１に示すように、ハンドル１２は、スプールを回転するためのものである。ハンドル１２は、リール本体１１の側方に配置されている。スタードラグ１３は、ハンドル１２のリール本体１１側に配置されたドラグ調整用のものである。
【００３８】
スプール１４は、リール本体１１に回転自在に装着されている。スプール１４は、釣り糸が巻き付けられる筒状の糸巻胴部１４ａと、糸巻胴部１４ａの両端に大径に形成された左右一対の第１フランジ部１４ｂ及び第２フランジ部１４ｃとを、有する。第１フランジ部１４ｂは、ハンドル１２と逆側に設けられ、第２フランジ部１４ｃは、ハンドル１２側に設けられる。糸巻胴部１４ａの内周側には、スプール軸２６が一体回転可能に連結される筒状の取付部１４ｄ（図２を参照）が設けられる。取付部１４ｄは、円板状の連結部１４ｅ（図２を参照）を介して、糸巻胴部１４ａと一体に形成される。したがって、スプール１４の糸巻胴部１４ａの内周側には、空間が形成される。
【００３９】
スプール軸２６の一端（図２の右端）は、第１軸受２５ａによって、後述するリール本体１１の第１側板部１７ａに回転自在に支持される。スプール軸２６の他端（図２の左端）は、リール本体１１の第２側カバー部１８ｂ（後述する）に設けられるボス部の第２軸受２５ｂによって回転自在に支持される。
【００４０】
図１及び図２に示すように、リール本体１１は、フレーム１７（フレーム本体の一例）と、フレーム１７の左右側面を覆う第１側カバー部１８ａ（カバー部の一例）及び第２側カバー部１８ｂと、両軸受リール１０を釣り竿に装着するための釣り竿装着部１７ｄと、を有している。
【００４１】
フレーム１７は、左右１対の第１側板部１７ａ及び第２側板部１７ｂと、複数の連結部１７ｃとを、有している。第１側板部１７ａは、実質的に円形に形成されている。第１側板部１７ａは、第１側板本体部２７ａと、第１側板本体部２７ａの外周部に一体に形成される筒状部２７ｂとを、有している。第１側板本体部２７ａは、開口２２ａと、揺動部材用の長孔部２２ｂ（図３を参照）とを、有している。開口２２ａ及び筒状部２７ｂの内周部によって、スプール１４が通過可能な開口部２７ｃ（開口部の一例）が、構成されている。揺動部材用の長孔部２２ｂには、後述する揺動用の操作つまみ３８ｂが、移動自在に配置される。
【００４２】
図２及び図４に示すように、開口部２７ｃ、例えば筒状部２７ｂの内周側には、スプール支持部１５と、第１側カバー部１８ａと、後述するカバー開閉部１６と、着脱部１９とが、配置される。詳細には、スプール支持部１５と、第１側カバー部１８ａと、カバー開閉部１６とは、着脱部１９を介して、筒状部２７ｂの内周側に着脱自在に装着される。ここでは、例えば、着脱部１９と筒状部２７ｂとが、バヨネット方式によって、着脱自在に連結されている。着脱部１９と筒状部２７ｂとを連結するための構成の詳細については、後述する。
【００４３】
また、図２に示すように、開口部２７ｃには、キャスティング時のバックラッシュを抑えるためのスプール制動装置２０が、配置されている。スプール制動装置２０は、スプール１４の回転に応じて、スプール１４を制動する。スプール制動装置２０は、主に、回転部材２０ａと、複数のブレーキシュー２０ｂと、ブレーキドラム２０ｃとを、有している。回転部材２０は、スプール軸２６に対して、一体回転可能に装着される。複数のブレーキシュー２０ｂそれぞれは、回転部材２０に揺動可能に装着される。ここでは、６個のブレーキシュー２０ｂが、回転部材２０の外周部に揺動可能に装着されている。また、各ブレーキシュー２０ｂは、図示しないロック構造によって、揺動不能に設定可能である。
【００４４】
ブレーキドラム２０ｃは、ブレーキシュー２０ｂと接触することによって、スプール１４の回転を制動する。ブレーキドラム２０ｃは、後述する制動操作部１１８ｄの操作量に応じて、スプール１４に接近する方向、又はブレーキドラム２０ｃ６６がスプール１４から離反する方向に、移動する。これにより、ブレーキドラム２０ｃの位置決めが行われる。
【００４５】
例えば、回転部材２０がスプール１４とともに回転すると、ブレーキシュー２０ｂは、遠心力によって揺動する。すると、ブレーキシュー２０ｂが、位置決め後のブレーキドラム２０ｃに接触し、スプール１４の回転が制動される。なお、ブレーキドラム２０ｃは、スプールアクセス機構３０（スプール支持部１５）に含まれる部材である。
【００４６】
図２に示すように、第２側板部１７ｂは、連結部１７ｃを介して、第１側板部１７ａに対向して配置されている。第２側板部１７ｂには、第２側カバー部１８ｂが装着される。第２側板部１７ｂと第２側カバー部１８ｂとの間には、スプール１４の回転時の抵抗力を調節するためのキャスティングコントロール機構２１が、配置されている。
【００４７】
複数の連結部１７ｃは、第１側板部１７ａ及び第２側板部１７ｂと一体に形成され、第１側板部１７ａと第２側板部１７ｂとを連結する。
【００４８】
図１及び図２に示すように、第１側カバー部１８ａは、ハンドル１２側において、フレーム１７の側面を覆う部材である。詳細には、第１側カバー部１８ａは、第１側板部１７ａの開口部２７ｃを覆う部材である。例えば、第１側カバー部１８ａは、第１側板部１７ａの開口部２７ｃに配置可能である。
【００４９】
図４、図５、及び図６Ａに示すように、第１側カバー部１８ａは、カバー本体部２８ａと、支持部２８ｂ（係合部の一例）と、異物防止部材６１とを、有している。カバー本体部２８ａの外周部の少なくとも一部は、第１曲率を有している。言い換えると、カバー本体部２８ａの外周部の少なくとも一部は、第１曲率半径を有する形状に、形成されている。例えば、カバー本体部２８ａは、実質的に円形に形成されている。カバー本体部２８ａには、複数の孔部１２８ａが形成されている。複数の孔部１２８ａは、カバー本体部２８ａの軽量化及び意匠性を向上するために設けられている。カバー本体部２８ａの外周部には、実質的に円環状の突出部１２８ｂが、形成されている。突出部１２８ｂは、後述するスプール支持部１５の当接部３５ｄに当接する。これにより、第１側カバー部１８ａは、回り止めされる。
【００５０】
また、図６Ａに示すように、突出部１２８ｂは、異物防止部材６１を保持するための複数の保持部１２８ｃを、有している。ここでは、３個の保持部１２８ｃが、突出部１２８ｂに形成されている。３個の保持部１２８ｃは、円周方向に間隔を隔てて、突出部１２８ｂの内周側に設けられている。保持部１２８ｃは、凹状に形成された凹部（第１凹部の一例）である。
【００５１】
支持部２８ｂは、カバー開閉部１６に対して第１側カバー部１８ａを開閉するために、カバー本体部２８ａに設けられている。支持部２８ｂは、第１側板部１７ａの開口部２７ｃ側において、カバー本体部２８ａに一体に形成されている。例えば、支持部２８ｂは円筒状に形成されており、支持部２８ｂの内周部には雌ねじ部が形成されている。
【００５２】
例えば、図４に示すように、第１側カバー部１８ａが閉じられた状態、すなわち第１側カバー部１８ａが第１側板部１７ａの開口部２７ｃに配置された状態において、支持部２８ｂは、スプール軸方向から見て、スプール支持部１５と重なるように、カバー本体部２８ａに一体に形成されている。また、第１側カバー部１８ａには、開口部１８ｄが形成されている。この開口部１８ｄには、スプールの回転を制動するための制動操作部１１８ｄが、回転可能に配置される。
【００５３】
図６Ａに示すように、異物防止部材６１は、第１側カバー部１８ａのカバー本体部２８ａに設けられた複数の孔部１２８ａからの異物の侵入を、防止するための部材である。異物防止部材６１は、弾性部材である。異物防止部材６１は、弾性変形させることによって、カバー本体部２８ａに装着される。例えば、異物防止部材６１は、カバー本体部２８ａの内面側に装着され、復元力によってカバー本体部２８ａに保持される。異物防止部材６１は、カバー本体部２８ａの保持部１２８ｃによって、位置決めされ保持される。異物防止部材６１については、後述する異物侵入防止構造６０の構成において、詳細に説明する。
【００５４】
図１及び図２に示すように、第２側カバー部１８ｂは、ハンドル１２とは反対側において、フレーム１７の側面を覆う部材である。第２側カバー部１８ｂには、キャスティングコントロール機構２１を調節するための抵抗操作部２３が、回転可能に装着されている。
【００５５】
釣り竿装着部１７ｄは、下側の連結部１７ｃに一体形成される。第１側板部１７ａと第２側板部１７ｂの間には、ハンドル１２に連結されたスプール１４が、配置される。
【００５６】
なお、リール本体１１の内部には、スプール１４に連動して動作するレベルワインド機構（図示せず）やハンドル１２の回転をスプール１４に伝達する回転伝達機構（図示せず）等が設けられている。
【００５７】
＜スプールアクセス機構の構成及びカバー開放機構の構成＞
図４に示すように、スプールアクセス機構３０は、第１側板部１７ａ（フレーム１７）と、スプール支持部１５と、第１側カバー部１８ａと、カバー開閉部１６と、着脱部１９とから、構成されている。スプールアクセス機構３０における、第１側板部１７ａ（フレーム１７）と、スプール支持部１５と、第１側カバー部１８ａと、カバー開閉部１６とは、カバー開放機構５０を構成している。すなわち、スプールアクセス機構３０は、カバー開放機構５０を含んでいる。
【００５８】
このように、カバー開放機構５０は、着脱部１９を除き、上記のスプールアクセス機構３０の構成と同じである。このため、スプールアクセス機構３０の構成及びカバー開放機構５０の構成を、同時に説明に説明する。
【００５９】
なお、以下では、スプール支持部１５、着脱部１９、カバー開閉部１６、及び第１側カバー部１８ａを、「着脱ユニット２９」と記される。また、第１側板部１７ａ及び第１側カバー部１８ａは、上記のリール本体１１において既に説明を行っているため、ここでは説明を省略する。
【００６０】
スプール支持部１５は、スプール１４を回転可能に支持する。詳細には、スプール支持部１５は、スプール軸２６を介して、スプール１４を回転自在に支持する。スプール支持部１５は、第１側板部１７ａの内部に配置される。詳細には、スプール支持部１５は、第１側板部１７ａの開口部２７ｃに配置される。
【００６１】
図７に示すように、スプール支持部１５は、ベース部材３５と、上述したブレーキドラム２０ｃとを、有する。ベース部材３５は、ベース本体３５ａと、第１軸受２５ａを収納するための軸受収納部３５ｅとを、有している。
【００６２】
ベース本体３５ａは、ブレーキ収納部３５ｂと、鍔部３５ｃと、当接部３５ｄ（図４を参照）とを、有している。ブレーキ収納部３５ｂは、ブレーキカム２０ｄ及びブレーキシュー２０ｂを収納する部分である。ブレーキ収納部３５ｂには、ブレーキシュー２０ｂにアクセスするための窓部１１５ｅが、形成されている。ブレーキシュー２０ｂは、この窓部１１５ｅを介して、揺動可能又は揺動不能に、設定される。
【００６３】
鍔部３５ｃは、ブレーキ収納部３５ｂの外周に一体に形成されている。当接部３５ｄは、第１側カバー部１８ａを回り止めする部分である。当接部３５ｄは、ブレーキ収納部３５ｂから外方に突出して、ブレーキ収納部３５ｂに一体に形成されている。例えば、第１側カバー部１８ａが開放された場合に、第１側カバー部１８ａの突出部１２８ｂ（図６Ａを参照）が、スプール支持部１５の当接部３５ｄすることによって、第１側カバー部１８ａは回り止めされる。また、第１側カバー部１８ａの突出部１２８ｂは、付勢部材３７を係止する部分としても用いられる。
【００６４】
軸受収納部３５ｅは、ベース本体３５ａの内周部に一体に形成されている。詳細には、軸受収納部３５ｅは、ベース本体３５ａのブレーキ収納部３５ｂにおいて、スプール軸２６に沿う方向に突出するように、一体に形成されている。ベース部材３５は、軸受収納部３５ｅに収納された第１軸受２５ａ（図２を参照）を介して、スプール軸２６の一端（図２の右端）を、回転自在に支持する。
【００６５】
ブレーキドラム２０ｃは、ベース部材３５に、ブレーキカム２０ｄを介して係合する。ブレーキカム２０ｄは、ブレーキドラム２０ｃの内周部と軸受収納部３５ｅの外周部との間に配置される。ブレーキカム２０ｄの外周部には、カム溝が形成されており、ブレーキドラム２０ｃの内周部には、カム溝に係合するカム突起が、形成されている。
【００６６】
例えば、制動操作部１１８ｄが回動操作されると、制動操作部１１８ｄに固定された第１ギア部１２１と、第１ギア部１２１に噛み合うブレーキドラム２０ｃの第２ギア部１２２とが、回転する。すると、この回転に伴い、ブレーキドラム２０ｃが回転する。すると、ブレーキドラム２０ｃが、ブレーキカム２０ｄを介して、ブレーキドラム２０ｃがスプール１４に接近する方向、又はブレーキドラム２０ｃ６６がスプール１４から離反する方向に、移動する。これにより、ブレーキドラム２０ｃの位置決めが行われ、ブレーキドラム２０ｃにブレーキシュー２０ｂが接触した場合のスプールの制動力が、決定される。
【００６７】
図４に示すように、カバー開閉部１６は、第１側カバー部１８ａを開放可能に構成されている。カバー開閉部１６は、第１側板部１７ａの開口部２７ｃにおいて、スプール１４と第１側カバー部１８ａとの間に配置される。カバー開閉部１６は、スプール支持部１５及び第１側カバー部１８ａに係合する。例えば、カバー開閉部１６は、スプール支持部１５のブレーキ収納部３５ｂ及び第１側カバー部１８ａの支持部２８ｂ（図６Ａを参照）に係合する。
【００６８】
図４から図１０に示すように、カバー開閉部１６は、カバー開閉構造３６と、付勢部材３７（図８を参照）とを、有している。カバー開閉構造３６は、第１側カバー部１８ａを開閉可能である。例えば、カバー開閉構造３６は、カバー閉塞姿勢とカバー開放可能姿勢との間において、第１側カバー部１８ａを、スプール１４から離れる方向と、スプール１４に近づく方向とに、進退自在に支持する。また、カバー開閉構造３６は、カバー開放可能姿勢とカバー開放姿勢との間において、第１側カバー部１８ａを揺動可能に支持する。さらに、カバー開閉構造３６は、スプール支持部１５及び第１側カバー部１８ａに係合する。
【００６９】
なお、第１側カバー１８ａが第１側板部１７ａの開口部２７ｃに配置されたときの姿勢を、カバー閉塞姿勢と定義する。また、スプール１４から離れる方向に第１側カバー１８ａが移動したときの姿勢、すなわち第１側カバー１８ａと第１側板部１７ａの筒状部２７との間に所定の隙間が形成されたときの第１側カバー１８ａの姿勢を、カバー開放可能姿勢と定義する。さらに、第１側カバー１８ａが開放されたときの姿勢を、カバー開放姿勢と定義する。
【００７０】
カバー開閉構造３６は、揺動部材３８と、連結部材４０とを、有している。揺動部材３８は、第１側カバー部１８ａを開放するために操作される部材である。揺動部材３８は、スプール支持部１５に対して、揺動可能に装着される。
【００７１】
図５、図７、及び図９に示すように、揺動部材３８は、実質的に円環状の揺動本体部３８ａ（揺動部材の本体部の一例）と、揺動用の操作つまみ３８ｂと、切欠部３８ｃと、位置決め用の長孔部３９とを、有している。
【００７２】
揺動本体部３８ａは、スプール支持部１５に対して、揺動可能に装着される。揺動本体部３８ａは、スプール支持部１５の鍔部３５ｃに対向した状態で、スプール支持部１５に対して回転可能である。揺動本体部３８ａの内周部には、スプール支持部１５のブレーキ収納部３５ｂが、配置される。揺動部材３８の回転範囲、すなわち揺動部材３８の揺動範囲は、第１側板部１７ａに形成された揺動部材用の長孔部２２ｂ（図３を参照）の範囲内で、設定される。
【００７３】
揺動用の操作つまみ３８ｂは、揺動部材３８を揺動させるためのものである。揺動用の操作つまみ３８ｂは、揺動本体部３８ａの外周部において、スプール軸２６に沿った方向に延びている。揺動用の操作つまみ３８ｂは、揺動部材用の長孔部２２ｂ（図３を参照）に配置される。揺動用の操作つまみ３８ｂが操作されると、揺動部材３８が揺動する。切欠部３８ｃは、揺動本体部３８ａの外周部に沿って形成されている。切欠部３８ｃには、後述する着脱用の操作つまみ１９ｂが、配置される。
【００７４】
図９に示すように、位置決め用の長孔部３９は、揺動本体部３８ａに形成され、円周方向に延びている。位置決め用の長孔部３９には、後述する第２連結部材４２が、配置される（図５を参照）。位置決め用の長孔部３９において、第２連結部材４２は移動可能である。位置決め用の長孔部３９は、第１孔部３９ａと、第２孔部３９ｂとを、有している。第１孔部３９ａは、位置決め用の長孔部３９の一端側に形成される。第２孔部３９ｂは、位置決め用の長孔部３９の他端側に形成される。第２孔部３９ｂは、第１孔部３９ａより内径が大きい。
【００７５】
ここで、第１側カバー部１８ａが閉じられた状態における揺動部材３８の姿勢が、第１姿勢と定義する。また、第１側カバー部１８ａが開放可能である状態における揺動部材３８の姿勢が、第２姿勢と定義する。揺動部材３８は、第１姿勢及び第２姿勢において、後述する連結部材４０によって、位置決めされる。
【００７６】
図５に示すように、連結部材４０は、スプール支持部１５及び第１側カバー部１８ａを連結し、且つ揺動部材３８の揺動に応じて第１側カバー部１８ａを開閉可能に支持する。連結部材４０は、第１連結部材４１と、第２連結部材４２（カバー開放機構５０における支持部の一例）とを、有する。
【００７７】
第１連結部材４１は、揺動部材３８と第１側カバー部１８ａとの間において、スプール支持部１５に、装着される。詳細には、第１連結部材４１は、板状に形成されている。第１連結部材４１の一部が、スプール支持部１５のブレーキ収納部３５ｂに、装着されている。また、第１連結部材４１は、スプール支持部１５のブレーキ収納部３５ｂに装着される部分を除いた部分において、第２連結部材４２に係合している。例えば、第１連結部材４１は、孔部４１ａを有している。この孔部４１ａに第２連結部材４２が回転自在に配置される。
【００７８】
第２連結部材４２は、第１連結部材４１に係合する。例えば、第２連結部材４２は、第１連結部材４１の孔部４１ａに回転自在に配置される。また、第２連結部材４２は、第１側カバー部１８ａの支持部２８ｂ（図６Ａを参照）に連結され、第１側カバー部１８ａを開閉可能に支持する。さらに、第２連結部材４２は、揺動部材３８を位置決めする。詳細には、第２連結部材４２は、揺動部材３８の揺動本体部３８ａの揺動に応じて、位置決め用の長孔部３９を移動可能である。
【００７９】
揺動部材３８の姿勢が第１姿勢である場合、揺動部材３８は、位置決め用の長孔部３９の一端側で、第２連結部材４２によって位置決めされる。揺動部材３８の姿勢が第２姿勢である場合、揺動部材３８は、位置決め用の長孔部３９の他端側で、第２連結部材４２によって位置決めされる。
【００８０】
具体的には、図１０に示すように、第２連結部材４２は、軸部４３と、頭部４４（拡大部の一例）とを、有している。軸部４３は、第１連結部材４１の孔部４１ａに回転自在に配置される。軸部４３は、軸本体部４３ａと、雄ネジ部４３ｂとを、有している。軸本体部４３ａは、頭部４４と雄ネジ部４３ｂとの間に形成される部分である。軸本体部４３ａは、揺動部材３８に形成された位置決め用の長孔部３９に、係合可能である。詳細には、第１側カバー部１８ａが閉じられた状態では、軸本体部４３ａは、位置決め用の長孔部３９の第１孔部３９ａに配置される。軸部４３の雄ネジ部４３ｂは、第１側カバー部１８ａの支持部２８ｂ（雌ねじ部）に、螺合する。これにより、第２連結部材４２は、第１側カバー部１８ａに装着される。
【００８１】
頭部４４は、軸部４３より拡大された部分である。頭部４４は、軸部４３の一端において、軸部４３と一体に形成されている。図９の破線で示すように、頭部４４は、位置決め用の長孔部３９に、係合可能である。詳細には、揺動部材３８の姿勢が第１姿勢である場合（第１側カバー部１８ａが閉じられた状態）では、頭部４４は、位置決め用の長孔部３９の第１孔部３９ａに係合する（図１０を参照）。一方で、揺動部材３８の姿勢が第２姿勢である場合（第１側カバー部１８ａが開かれた状態）では、頭部４４は、位置決め用の長孔部３９の第２孔部３９ｂに係合する。
【００８２】
ここで、第２連結部材４２及び揺動部材３８の関係と、揺動部材３８の位置決めについて、説明をしておく。図１０に示すように、揺動部材３８の姿勢が第１姿勢である場合、第２連結部材４２の軸部４３（軸本体部４３ａ）が、位置決め用の長孔部３９の第１孔部３９ａに配置される。また、この場合、第２連結部材４２の頭部４４が、位置決め用の長孔部３９の第１孔部３９ａの縁部３９ｃに、係合する。
【００８３】
これにより、第１側カバー部１８ａが閉じられた場合、すなわち第１側カバー部１８ａの外周部が第１側板部１７ａの筒状部２７ｂに当接した状態において、揺動部材３８が、第１側カバー部１８ａ及び第２連結部材４２（頭部４４）によって、挟持される。このようにして、揺動部材３８は、位置決めされ、且つ抜け止めされる。
【００８４】
一方で、揺動部材３８の姿勢が第１姿勢から第２姿勢へと変更され、揺動部材３８の姿勢が第２姿勢に設定されると、図９に示すように、第２連結部材４２の頭部４４は、位置決め用の長孔部３９の第２孔部３９ｂに配置される。この状態では、第２連結部材４２の頭部４４は、位置決め用の長孔部３９の第２孔部３９ｂに配置されているので、揺動部材３８は揺動不能である。すなわち、第２連結部材４２（頭部４４）によって、揺動部材３８は、位置決めされる。
【００８５】
また、この状態では、第２連結部材４２の頭部４４は、位置決め用の長孔部３９の第２孔部３９ｂにおいて、スプール支持部１５から離れる方向とスプール支持部１５に近づく方向とに、進退自在である。しかし、第２連結部材４２の頭部４４と第１側カバー部１８ａとの間には、第１連結部材４１が配置されているので、この第１連結部材４１によって、第２連結部材４２は抜け止めされている。なお、第２連結部材４２の頭部４４が第１連結部材４１に当接した状態では、第２連結部材４２は、第１側カバー部１８ａを揺動可能に支持する。
【００８６】
図８に示す付勢部材３７は、第１側カバー部１８ａを付勢するための部材である。付勢部材３７は、第１側カバー部１８ａが第１側板部１７ａの開口部２７ｃを閉塞するカバー閉塞姿勢から、第１側カバー部１８ａが第１側板部１７ａ開口部２７ｃの少なくとも一部を開放したカバー開放姿勢へと、第１側カバー部１８ａの姿勢を変更する。具体的には、まず、付勢部材３７は、カバー閉塞姿勢から、第１側板部１７ａの開口部２７ｃを開放可能なカバー開放可能姿勢へと、第１側カバー部１８ａの姿勢を変更する。次に、付勢部材３７は、カバー開放可能姿勢からカバー開放姿勢へと、第１側カバー部１８ａの姿勢を変更する。
【００８７】
付勢部材３７は、第１側カバー部１８ａとカバー開閉構造３６との間に配置され、第１側カバー部１８ａを開放可能に付勢する。詳細には、付勢部材３７は、第１側カバー部１８ａと第１連結部材４１との間に配置され、第１側カバー部１８ａを、スプール１４から離れる方向に付勢する。また、付勢部材３７は、第１側カバー部１８ａと第１連結部材４１とに係合し、第１側カバー部１８ａを開放可能に付勢する。
【００８８】
図８に示すように、付勢部材３７は、捩りバネ部３７ａと、第１係止部３７ｂと、第２係止部３７ｃとを、有している。捩りバネ部３７ａは、第１側カバー部１８ａと第１連結部材４１との間において、第１側カバー部１８ａにおける支持部２８ｂの外周部及び第２連結部材４２における軸部４３（軸本体部４３ａ）の外周部の少なくともいずれか一方に、配置される。例えば、第２連結部材４２が、第１孔部３９ａに配置された状態では、捩りバネ部３７ａは、支持部２８ｂの外周部に、配置される。一方で、第２連結部材４２が、第２孔部３９ｂに配置された状態では、捩りバネ部３７ａは、支持部２８ｂの外周部及び軸部４３の外周部に、配置される。
【００８９】
捩りバネ部３７ａは、上記の外周部において伸縮可能である。例えば、第２連結部材４２の頭部４４が第１孔部３９ａの縁部３９ｃに係合した状態、すなわち第１側カバー部１８ａが閉じられた状態では、捩りバネ部３７ａは、第１側カバー部１８ａと第１連結部材４１との間で、圧縮されている。この状態から、揺動部材３８が回転して、第２連結部材４２の頭部４４が第２孔部３９ｂに到達すると、捩りバネ部３７ａは、第１側カバー部１８ａを、スプール支持部１５から離れる方向に、付勢する。すると、第２連結部材４２の頭部４４が、第１連結部材４１に当接する。これにより、第１側カバー部１８ａの姿勢が、カバー閉塞姿勢からカバー開放可能姿勢へと変更される。
【００９０】
また、捩りバネ部３７ａは、第１側カバー部１８ａに対して、捩り力の反力を与える。詳細には、第１係止部３７ｂは、第１側カバー部１８ａ、例えば第１側カバー部１８ａの突出部１２８ｂに、係止される。第２係止部３７ｃは、カバー開閉構造３６、例えば第１連結部材４１に、係止される。例えば、第２係止部３７ｃは、第１連結部材４１の係止孔４１ｂ（図５を参照）に、係止される。これにより、捩りバネ部３７ａは、第２係止部３７ｃ（係止孔４１ｂ）を支持点として、第１側カバー部１８ａに対して、捩り力の反力を与える。例えば、第１側カバー部１８ａの姿勢がカバー開放可能姿勢になると、捩りバネ部３７ａの捩り力の反力によって、第１側カバー部１８ａの姿勢が、カバー開放可能姿勢からカバー開放姿勢へと変更される。
【００９１】
このように、付勢部材３７が、第１側カバー部１８ａの姿勢を、カバー閉塞姿勢、カバー開放可能姿勢、カバー開放姿勢の順に変更することによって、第１側カバー部１８ａが開かれる。
【００９２】
図４及び図５に示すように、着脱部１９は、スプール１４と第１側カバー部１８ａとの間において、第１側板部１７ａの開口部２７ｃに配置される。また、図７に示すように、着脱部１９は、スプール支持部１５と揺動部材３８との間に、配置される。具体的には、着脱部１９は、スプール支持部１５の鍔部３５ｃと揺動部材３８の揺動本体部３８ａとの間に、配置される。着脱部１９は、上記の配置形態において、回転自在である。
【００９３】
着脱部１９は、第１側板部１７ａに対して、揺動可能且つ着脱可能に装着されている。着脱部１９は、スプール支持部１５及びカバー開閉構造３６に係合する。着脱部１９は、第１側カバー部１８ａが開かれた状態で、揺動可能である。また、この状態で、着脱部１９は、スプール支持部１５、第１側カバー部１８ａ、及びカバー開閉部１６を、第１側板部１７ａに対して、着脱可能である。
【００９４】
図７に示すように、着脱部１９は、実質的に円環状に形成されている。着脱部１９は、実質的に円環状の円環部１９ａ（着脱部１９の本体部の一例）と、着脱用の操作つまみ１９ｂと、複数の（例えば３個の）バヨネット突起１９ｃとを、有している。着脱用の操作つまみ１９ｂは、円環部１９ａの外周部に一体に形成されている。着脱用の操作つまみ１９ｂは、揺動部材３８の切欠部３８ｃに配置される。例えば、着脱用の操作つまみ１９ｂの内周部には、溝部（図示しない）が、形成されている。この溝部を揺動部材３８の切欠部３８ｃに嵌合することによって、スプール軸方向への揺動部材３８の抜け止めが、行われる。なお、着脱部１９の揺動範囲は、切欠部３８ｃの円周方向の長さの範囲内に、設定される。
【００９５】
複数の（例えば３個の）バヨネット突起１９ｃは、円環部１９ａの外周部から外方に突出して、一体に形成されている。ここで、第１側板部１７ａの筒状部２７ｂには、バヨネット溝２７ｄ（図４を参照）が形成されている。着脱用の操作つまみ１９ｂを操作することによって着脱部１９が回転すると、このバヨネット溝２７ｄにバヨネット突起１９ｃが係合する。これにより、着脱ユニット２９（スプール支持部１５、第１側カバー部１８ａ、カバー開閉部１６、及び着脱部１９）は、第１側板部１７ａの筒状部２７ｂに装着される。また、着脱用の操作つまみ１９ｂを操作することによって着脱部１９を上記とは反対側に回転すると、バヨネット突起１９ｃとバヨネット溝２７ｄとの係合が解除される。これにより、着脱ユニット２９が、第１側板部１７ａの筒状部２７ｂから取り外される。
【００９６】
このように、スプール支持部１５、着脱部１９、カバー開閉部１６、及び第１側カバー部１８ａを、１つのユニット単位すなわち着脱ユニット２９の単位で、着脱できるので、両軸受リール１０の内部に容易にアクセスすることができる。
【００９７】
＜スプールアクセス機構とカバー開放機構との組み立て及びの動作＞
スプールアクセス機構３０に含まれる着脱ユニット２９は、次のように組み立てられ動作する。
【００９８】
まず、着脱部１９とカバー開閉部１６の揺動部材３８とが、組み合わされる。具体的には、着脱部１９の操作つまみ（着脱用の操作つまみ１９ｂ）が、揺動部材３８の切欠部３８ｃに配置されるように、着脱部１９と揺動部材３８とが、組み合わされる。より具体的には、着脱用の操作つまみ１９ｂの溝部（図示しない）が、切欠部３８ｃに嵌合されるように、着脱部１９が揺動部材３８に組み付けられる。これにより、カバー開閉部１６の揺動部材３８が、着脱部１９によって抜け止めされる。
【００９９】
次に、着脱部１９と揺動部材３８とが組み合わされた状態において、着脱部１９が、スプール支持部１５の鍔部３５ｃに対向するように、スプール支持部１５に配置される。言い換えると、着脱部１９は、スプール支持部１５のブレーキ収納部３５ｂの外周部に配置される。これにより、着脱部１９及び揺動部材３８が、スプール支持部１５のブレーキ収納部３５ｂの外周に、配置される。
【０１００】
続いて、カバー開閉部１６の第２連結部材４２が、カバー開閉部１６の第１連結部材４１を介して、第１側カバー部１８ａ（異物防止部材６１を含む）に装着される。具体的には、第２連結部材４２の軸部４３が、第１連結部材４１の孔部４１ａに挿通される。そして、付勢部材３７の第１係止部３７ｂを第１側カバー部１８ａの突出部１２８ｂに係合させ、付勢部材３７の捩りバネ部３７ａを第１側カバー部１８ａの支持部２８ｂに配置した状態で、第２連結部材４２の軸部４３（雄ネジ部４３ｂ）が、第１側カバー部１８ａの支持部２８ｂに螺合される。そして、付勢部材３７の第２係止部３７ｃが、第１連結部材４１の係止孔４１ｂに係合される。
【０１０１】
続いて、第１側カバー部１８ａが開かれた状態で、第１連結部材４１が、固定部材例えばビス４７によって、スプール支持部１５のブレーキ収納部３５ｂに固定される。詳細には、第２連結部材４２の頭部４４を、揺動部材３８に形成された位置決め用の長孔部３９の第２孔部３９ｂに配置した状態で、第１連結部材４１が、ビス４７によって、スプール支持部１５のブレーキ収納部３５ｂに固定される。
【０１０２】
このようにして、着脱ユニット２９（スプール支持部１５、着脱部１９、カバー開閉部１６（揺動部材３８及び連結部材４０）、及び第１側カバー部１８ａ）が、組み立てられる。
【０１０３】
続いて、着脱ユニット２９が、第１側板部１７ａに装着される。例えば、揺動用の操作つまみ３８ｂが、揺動部材用の長孔部２２ｂに配置された状態において、揺動部材３８の切欠部３８ｃに配置された着脱用の操作つまみ１９ｂが、回転される。これにより、着脱ユニット２９と第１側板部１７ａとはバヨネット結合される。言い換えると、着脱ユニット２９における着脱部１９のバヨネット突起１９ｃを、第１側板部１７ａにおける筒状部２７ｂのバヨネット溝２７ｄに嵌合することによって、着脱ユニット２９が、第１側板部１７ａに装着される。
【０１０４】
なお、この状態では、第１側カバー部１８ａは、付勢部材３７によって付勢され、開かれている。また、この状態では、揺動部材３８の姿勢は第１姿勢である。
【０１０５】
続いて、第１側カバー部１８ａを第２連結部材４２の軸心まわりに回転させると、付勢部材３７が捩られ、第１側カバー部１８ａが、第１側板部１７ａの筒状部２７ｂに対向して配置される。この状態では、第１側カバー部１８ａと第１側板部１７ａの筒状部２７ｂとの間には、所定の隙間が形成されている。そして、第１側カバー部１８ａが、スプール支持部１５に向けて押し込まれると、付勢部材３７が圧縮され、第１側カバー部１８ａが第１側板部１７ａの筒状部２７ｂに当接する。
【０１０６】
この状態で、揺動用の操作つまみ３８ｂが揺動部材用の長孔部２２ｂに沿って一方向に操作されると、第２連結部材４２の頭部４４が、位置決め用の長孔部３９における第２孔部３９ｂから第１孔部３９ａへと移動し、第１孔部３９ａの縁部３９ｃに乗り上げる。これにより、第１側カバー部１８ａが第１側板部１７ａの開口部２７ｃを覆った状態で、第１側カバー部１８ａが第１側板部１７ａ（筒状部２７ｂ）に保持される。この状態が、第１側カバー部１８ａが閉じられた状態である。この状態において、スプール１４、スプール支持部１５、及び第１側カバー部１８ａは、スプール軸方向から見て、実質的に同芯に配置されている。
【０１０７】
一方で、第１側カバー部１８ａが閉じられた状態において、揺動用の操作つまみ３８ｂが揺動部材用の長孔部２２ｂに沿って反対方向に操作されると、第２連結部材４２の頭部４４が、位置決め用の長孔部３９における第１孔部３９ａの縁部３９ｃから第２孔部３９ｂへと移動する。すると、付勢部材３７の伸びる力によって、第１側カバー部１８ａとともに、第２連結部材４２が、スプール支持部１５から離れる方向に付勢される。これにより、第２連結部材４２の頭部４４が、位置決め用の長孔部３９における第２孔部３９ｂの内部に配置された状態で、第１連結部材４１に当接する。すなわち、第１側カバー部１８ａが、スプール１４から離れる方向に移動する。このようにして、第１側カバー部１８ａの姿勢が、カバー閉塞姿勢からカバー開放可能姿勢へと変更される。
【０１０８】
続いて、第１側カバー部１８ａの姿勢がカバー開放可能姿勢へと変更されると、第１側カバー部１８ａが、付勢部材３７の捩り力の反力によって、第２連結部材４２まわりに回転する。これにより、第１側カバー部１８ａの姿勢が、カバー開放可能姿勢からカバー開放姿勢へと変更される。すなわち、第１側カバー部１８ａが開かれる。
【０１０９】
続いて、着脱用の操作つまみ１９ｂを操作すると、着脱ユニット２９と第１側板部１７ａとのバヨネット結合が、解除される。この状態で、着脱ユニット２９が、スプール１４から離れる方向に引き出されると、着脱ユニット２９が第１側板部１７ａから取り外される。
【０１１０】
なお、第１側カバー部１８ａが開かれているときに、着脱用の操作つまみ１９ｂが操作されない限り、着脱ユニット２９は、第１側板部１７ａに装着されたままである。この状態では、ユーザは、スプール支持部１５の窓部１１５ｅを介して、ブレーキシュー２０ｂを、揺動可能又は揺動不能に、設定できる。
【０１１１】
＜異物侵入防止構造の構成＞
異物侵入防止構造６０は、両軸受リール１０の内部への異物の侵入を防止するためのものである。異物侵入防止構造６０は、第１側板部１７ａ（フレーム１７）と、第１側カバー部１８ａとから、構成されている。第１側カバー部１８ａは、上述したように、複数の孔部１２８ａを有するカバー本体部２８ａ（図４を参照）と、複数の孔部からの異物の侵入を防止する異物防止部材６１（図６Ａを参照）とを、有している。
【０１１２】
なお、第１側板部１７ａ及び第１側カバー部１８ａは、上記のリール本体１１において既に説明を行っているため、ここでは説明を省略する。また、異物防止部材６１は、第１側カバー部１８ａに含まれる部材である。この基本構成については、上記のリール本体１１において既に説明を行っているため、ここでは、基本構成の除く構成についてのみ説明する。
【０１１３】
異物防止部材６１は、弾性変形させることによって、カバー本体部２８ａの内面側に装着され、復元力によってカバー本体部２８ａに保持される。例えば、異物防止部材６１の外周部の少なくとも一部は、カバー本体部２８ａの第１曲率より小さな第２曲率を、有している。言い換えると、異物防止部材６１の外周部の少なくとも一部は、カバー本体部２８ａの第１曲率半径より大きな第２曲率半径を有する形状に、形成されている。これにより、異物防止部材６１を弾性変形させることによって、図６Ａに示すように、異物防止部材６１の外周部２８ｄ（第２曲率を有する部分）が、カバー本体部２８ａの外周部１２８ｄ（第１曲率を有する部分）に、装着される。カバー本体部２８ａの外周部１２８ｄは、カバー本体部２８ａの突出部１２８ｂの一部である。
【０１１４】
図６Ａから図６Ｃに示すように、異物防止部材６１は、実質的にＣ字板状に形成されている。異物防止部材６１は、Ｃ字板状に形成された本体部６１ａと、カバー本体部２８ａの保持部１２８ｃに係合する複数の係合部６１ｂを、有している。なお、カバー本体部２８ａの保持部１２８ｃは、上述したように、凹状に形成された凹部である。
【０１１５】
本体部６１ａは、例えば第２曲率の曲率中心に向けて、弾性変形させることによって、カバー本体部２８ａに装着される。複数の（例えば、３個の）係合部６１ｂそれぞれは、本体部６１ａの外周部（第２曲率を有する部分）において、間隔を隔てて、一体に形成されている。係合部６１ｂは、本体部６１ａの外周部から外方に突出した凸部（第２凸部の一例）である。
【０１１６】
図６Ｃに示すように、３個の係合部６１ｂの中の少なくとも１つは、突起６１ｃを有している。ここでは、例えば、３個の係合部６１ｂの１つが、突起６１ｃを有している。図６Ｂに示すように、突起６１ｃを有していない２個の係合部６１ｂは、カバー本体部２８ａの保持部１２８ｃに配置される。一方で、突起６１ｃを有する係合部６１ｂは、対応するカバー本体部２８ａの保持部１２８ｃに、嵌合される。詳細には、係合部６１ｂの突起６１ｃを、保持部１２８ｃの壁部に接触させることによって、突起６１ｃを有する係合部６１ｂが、カバー本体部２８ａの保持部１２８ｃに、嵌合される。このように、カバー本体部２８ａの保持部１２８ｃに対する係合部６１ｂの配置及び嵌合と、上述した本体部６１ａの復元力とによって、異物防止部材６１は、カバー本体部２８ａに保持される。
【０１１７】
なお、ここでは、３個の係合部６１ｂの中の１つが、突起６１ｃを有している場合の例を示したが、３個の係合部６１ｂの中の２つ、又は３個の係合部６１ｂすべてが、突起６１ｃを有していてもよい。
【０１１８】
＜特徴＞
上記実施形態は、下記のように表現可能である。
【０１１９】
（Ａ）本両軸受リール１０は、スプールアクセス機構３０を備えている。スプールアクセス機構３０は、両軸受リール１０の内部にアクセスするための機構である。両軸受リール１０のスプールアクセス機構３０は、フレーム１７と、スプール支持部１５と、第１側カバー部１８ａと、カバー開閉部１６とから構成されている。フレーム１７は、開口部２７ｃを有している。フレーム１７の形状は、実質的に円形である。スプール支持部１５は、フレーム１７の内部に装着される。スプール支持部１５は、スプール１４を回転可能に支持する。第１側カバー部１８ａは、フレーム１７の開口部２７ｃに配置可能である。カバー開閉部１６は、フレーム１７の内部において、スプール１４と第１側カバー部１８ａとの間に配置される。カバー開閉部１６は、スプール支持部１５及び第１側カバー部１８ａに係合し、第１側カバー部１８ａを開閉可能である。
【０１２０】
このように、本アクセス機構３０では、カバー開閉部１６が、フレーム１７の内部においてスプール１４と第１側カバー部１８ａとの間に配置され、第１側カバー部１８ａはカバー開閉部１６に係合している。このため、従来技術のように、第１側カバー部１８ａを支持する支持部を、スプール１４の半径方向外側とフレーム１７との間に設けたり、スプール１４の半径方向外側におけるフレーム１７の両端部に、設けたりする必要がない。すなわち、本アクセス機構３０では、従来技術と比較して、フレーム１７を小型化することができる。
【０１２１】
また、本スプールアクセス機構３０では、上記のように支持部を、スプール１４の半径方向外側に配置するためのスペースや部分を、フレーム１７に用意する必要がないので、フレーム１７の外形を、最も無駄のない形状、例えば実質的に円形に、形成することができる。このように、フレーム１７を単に小型化するのではなく、フレーム１７内のスペースやフレーム１７の大きさをできるだけ最小限に設定することによって、フレーム１７の形状が決定されている。このような理由から、本スプールアクセス機構３０では、フレーム１７の形状が、フレーム１７の小型化を実現する上で最適な形状、すなわち実質的に円形に、形成されている。
【０１２２】
（Ｂ）本両軸受リール１０では、第１側カバー部１８ａが、カバー開閉部１６に対して開閉するための係合部を、有している。係合部は、スプール軸方向から見て、スプール支持部１５と重なるように、第１側カバー部１８ａに設けられている。
【０１２３】
この場合、係合部が、スプール軸方向から見て、スプール支持部１５と重なるように、第１側カバー部１８ａに設けられているので、係合部をスプール１４の半径方向外側に配置するためのスペースや部分を、フレーム１７に用意する必要がないので、フレーム１７を小型化することができる。
【０１２４】
（Ｃ）本両軸受リール１０では、スプール１４、スプール支持部１５、及び第１側カバー部１８ａが、スプール軸方向から見て、実質的に同芯に配置されている。
【０１２５】
この場合、スプール１４、スプール支持部１５、及び第１側カバー部１８ａが、スプール軸方向から見て、実質的に同芯に配置されている。すなわち、スプール１４、スプール支持部１５、及び第１側カバー部１８ａを、フレーム１７に対して、実質的に偏心させることなく、スプール軸２６に沿う方向に並べて配置することができる。これにより、フレーム１７を半径方向に小型化することができる。
【０１２６】
（Ｄ）本両軸受リール１０では、着脱部１９をさらに備えている。着脱部１９は、フレーム１７の内部において、スプール１４と第１側カバー部１８ａとの間に配置される。着脱部１９は、スプール支持部１５及びカバー開閉部１６に係合する。着脱部１９は、第１側カバー部１８ａが開かれた状態でスプール支持部１５及びカバー開閉部１６をフレーム１７に着脱可能なように、フレーム１７に装着される。
【０１２７】
この場合、着脱部１９は、スプール１４と第１側カバー部１８ａとの間に配置され、第１側カバー部１８ａが開かれた状態で、スプール支持部１５及びカバー開閉部１６をフレーム１７に着脱可能である。詳細には、カバー開閉部１６は、第１側カバー部１８ａに係合しているので、着脱部１９は、第１側カバー部１８ａが開かれた状態で、スプール支持部１５、カバー開閉部１６、及び第１側カバー部１８ａを、フレーム１７に装着可能であり、フレーム１７から取り外し可能である。
【０１２８】
このように、本スプールアクセス機構３０では、着脱部１９が、スプール支持部１５、カバー開閉部１６、及び第１側カバー部１８ａを、フレーム１７から容易に取り外すことができる。これにより、両軸受リール１０の内部の構造に容易にアクセスすることができる。これにより、両軸受リール１０の内部の構造を容易に組み立てたり、両軸受リール１０の内部の構造を取り外して容易にメンテナンスしたりすることができる。
【０１２９】
（Ｅ）本両軸受リール１０では、着脱部１９が、フレーム１７に対して揺動可能に装着されている。スプール支持部１５及びカバー開閉部１６は、第１側カバー部１８ａが開かれた状態で着脱部１９を揺動させることによって、フレーム１７から取り外し可能である。
【０１３０】
この場合、第１側カバー部１８ａが開かれた状態で着脱部１９を揺動させることによって、スプール支持部１５及びカバー開閉部１６を、フレーム１７から取り外すことができる。すなわち、本アクセス機構３０では、フレーム１７を小型化することができるとともに、着脱部１９を揺動させるだけで、両軸受リール１０の内部の構造に容易にアクセスすることができる。
【０１３１】
（Ｆ）本両軸受リール１０では、カバー開閉部１６が、揺動部材３８と、連結部材４０とを、有している。揺動部材３８は、スプール支持部１５に対して揺動可能に装着される。連結部材４０は、スプール支持部１５及び第１側カバー部１８ａを連結し、且つ揺動部材３８の揺動に応じて第１側カバー部１８ａを開閉可能に支持する。
【０１３２】
この場合、連結部材４０が、スプール支持部１５及び第１側カバー部１８ａを連結し、且つ揺動部材３８の揺動に応じて第１側カバー部１８ａを開閉可能に支持しているので、スプール支持部１５と第１側カバー部１８ａとが離れた位置に配置されていても、揺動部材３８を揺動させることによって、第１側カバー部１８ａを開閉することができる。すなわち、本アクセス機構３０では、第１側カバー部１８ａを容易に開閉して、第１側カバー部１８ａの内部に容易にアクセスすることができる。
【０１３３】
（Ｇ）本両軸受リール１０では、第１側カバー部１８ａが閉じられた状態において、揺動部材３８が所定の第１姿勢をとる。第１側カバー部１８ａが開放可能である状態では、揺動部材３８が、第１姿勢から揺動した第２姿勢をとる。揺動部材３８は、第１姿勢及び第２姿勢において、連結部材４０によって位置決めされる。
【０１３４】
この場合、揺動部材３８が、第１姿勢及び第２姿勢において、連結部材４０によって位置決めされる。すなわち、揺動部材３８の姿勢を第１姿勢で位置決めすることによって、第１側カバー部１８ａを閉じた状態で固定することができる。また、揺動部材３８の姿勢を第２姿勢で位置決めすることによって、第１側カバー部１８ａが開放可能である状態で保持されるので、スプール支持部１５及びカバー開閉部１６を、フレーム１７から容易に取り外すことができる。すなわち、両軸受リール１０の内部の構造を、容易に取り外したり、組み立てたりすることができる。
【０１３５】
（Ｈ）本両軸受リール１０では、連結部材４０が、第１連結部材４１と、第２連結部材４２とを、有する。第１連結部材４１は、揺動部材３８と第１側カバー部１８ａとの間において、スプール支持部１５に装着される。第２連結部材４２は、第１連結部材４１に係合し、揺動部材３８を位置決めする。また、第２連結部材４２は、第１側カバー部１８ａを開閉可能に支持する。
【０１３６】
この場合、連結部材４０が、第１連結部材４１と第２連結部材４２とから、構成されている。これにより、スプール支持部１５と第１側カバー部１８ａとが離れた位置に配置されていても、この位置の差異を、第１連結部材４１によって補い、且つ揺動部材３８の位置決めと第１側カバー部１８ａの支持とを、第２連結部材４２によって行うことができる。
【０１３７】
（Ｉ）本両軸受リール１０では、揺動部材３８が、揺動本体部３８ａと、位置決め用の長孔部３９とを、有している。揺動本体部３８ａは、スプール支持部１５に対して、揺動可能に装着される。位置決め用の長孔部３９は、揺動本体部３８ａに形成される。第２連結部材４２は、揺動本体部３８ａの揺動に応じて、位置決め用の長孔部３９を移動可能である。揺動部材３８の姿勢が第１姿勢である場合、揺動部材３８は、位置決め用の長孔部３９の一端側で、第２連結部材４２によって位置決めされる。揺動部材３８の姿勢が第２姿勢である場合、揺動部材３８は、位置決め用の長孔部３９の他端側で、第２連結部材４２によって位置決めされる。
【０１３８】
この場合、揺動部材３８の姿勢が、第１姿勢又は第２姿勢である場合、揺動部材３８は、位置決め用の長孔部３９の一端側又は他端側で、第２連結部材４２によって位置決めされる。このように、揺動部材３８の揺動に応じて設定される２つの異なる姿勢（第１姿勢及び第２姿勢）において、揺動部材３８を確実に位置決めすることができる。
【０１３９】
（Ｊ）本両軸受リール１０では、第２連結部材４２が、軸部４３と、頭部４４とを、有している。軸部４３は、第１側カバー部１８ａに装着される。頭部４４は、軸部４３より拡大して形成されている。位置決め用の長孔部３９は、第１孔部３９ａと、第２孔部３９ｂとを、有している。第１孔部３９ａは、位置決め用の長孔部３９の一端側に形成される。第２孔部３９ｂは、位置決め用の長孔部３９の他端側に形成される。第２孔部３９ｂは、第１孔部３９ａより内径が大きい。
【０１４０】
揺動部材３８の姿勢が第１姿勢である場合、第２連結部材４２の軸部４３が第１孔部３９ａに配置され、且つ第２連結部材４２の頭部４４が第２孔部３９ｂの縁部３９ｃに係合することによって、揺動部材３８が位置決めされる。揺動部材３８の姿勢が第２姿勢である場合、第２連結部材４２の頭部４４が第２孔部３９ｂに配置されることによって、揺動部材３８が位置決めされる。
【０１４１】
この場合、揺動部材３８の姿勢が第１姿勢である場合、第２連結部材４２の軸部４３及び第２連結部材４２の頭部４４よって、揺動部材３８が位置決めされるので、第１側カバー部１８ａを閉じた状態で確実に固定することができる。また、揺動部材３８の姿勢が第２姿勢である場合、第２連結部材４２の頭部４４の係合が解除され、第２連結部材４２の頭部４４が第２孔部３９ｂに配置されるので、第１側カバー部１８ａを開放可能な状態で確実に保持することができる。
【０１４２】
（Ｋ）本両軸受リール１０では、揺動部材３８の姿勢が所定の第１姿勢である場合、第２連結部材４２が、揺動部材３８によって、抜け止めされる。揺動部材３８の姿勢が、所定の第１姿勢から揺動した第２姿勢である場合、第２連結部材４２が、第１連結部材４１によって、抜け止めされる。
【０１４３】
この場合、揺動部材３８の姿勢が第１姿勢又は第２姿勢である場合に、第２連結部材４２が、揺動部材３８又は第２連結部材４２によって、抜け止めされる。このように、特別な部材を用意することなく、第２連結部材４２を抜け止めすることができる。
【０１４４】
＜他の実施形態＞
以上、本発明の一実施形態について説明したが、本発明は上記実施形態に限定されるものではなく、発明の要旨を逸脱しない範囲で種々の変更が可能である。特に、本明細書に書かれた複数の実施形態及び変形例は必要に応じて任意に組合せ可能である。
【０１４５】
（ａ）前記実施形態では、第１側カバー部１８ａに突出部１２８ｂが形成され、スプール支持部１５に当接部３５ｄが形成される場合の例を示したが、スプール支持部１５に突出部１２８ｂを形成し、第１側カバー部１８ａに当接部３５ｄを形成するようにしてもよい。
【０１４６】
（ｂ）前記実施形態では、異物防止部材６１において、３個の係合部６１ｂを有する場合の例を示したが、係合部６１ｂの数は、前記実施形態に限定されず、どのようにしてもよい。また、突起６１ｃが形成される係合部６１ｂは、１個に限定されず、複数であってもよい。
【０１４７】
（ｃ）前記実施形態では、異物防止部材６１が、実質的にＣ字板状に形成される場合の例を示したが、異物防止部材６１が弾性部材であり、且つ異物防止部材６１の曲率（第２曲率）が、第１側カバー部１８ａの曲率（第１曲率）より小さければ、異物防止部材６１の形状は、どのような形状であってもよい。
【０１４８】
（ｄ）前記実施形態では、異物防止部材６１の係合部６１ｂが凸部であり、第１側カバー１８ａの保持部１２８ｃが凹部である場合の例を示したが、異物防止部材６１の係合部６１ｂが凹部であり、第１側カバー１８ａの保持部１２８ｃが凸部であってもよい。
【産業上の利用可能性】
【０１４９】
本発明は、両軸受リールに広く適用できる。
【符号の説明】
【０１５０】
１０    両軸受リール
１１    リール本体
１２    ハンドル
１４    スプール
１７    フレーム（フレーム本体の一例）
１５    スプール支持部
１８ａ  第１側カバー部（カバー部の一例）
１６    カバー開閉部
２７ｃ  開口部
２８ｂ  連結部
３０    スプールアクセス機構
３５ｄ  当接部
３６  カバー開閉構造
３７  付勢部材
３７ａ  捩りバネ部
３７ｂ  第１係止部
３７ｃ  第２係止部
５０  カバー開放機構
６０  異物侵入防止構造
６１  異物防止部材
６１ｂ  係合部
６１ｃ  突起
１２８ａ  孔部
１２８ｃ  保持部
１２８ｂ  突出部
【図１】
2015053916.tif 000003
【図２】
2015053916.tif 000004
【図３】
2015053916.tif 000005
【図４】
2015053916.tif 000006
【図５】
2015053916.tif 000007
【図６Ａ】
2015053916.tif 000008
【図６Ｂ】
2015053916.tif 000009
【図６Ｃ】
2015053916.tif 000010
【図７】
2015053916.tif 000011
【図８】
2015053916.tif 000012
【図９】
2015053916.tif 000013
【図１０】
2015053916.tif 000014